(57)【要約】【課題】  偏光板の傷つきを防止でき、且つつまみを用いずに偏光板の回動の微調整を行うことができる調光めがねを提供する。【解決手段】  めがねフレーム２及び連結棒５によって支持される左右一対の調光部３Ｒ、３Ｌを、第１カバー６、不動偏光板８、可動偏光板１０、第２カバー１２を配列して形成し、これらをボルト４ａ及びナット４ｂにて一体に構成する。このとき、可動偏光板１０を、第２カバー１２の収容部１４に収容するようにする。これにより、両偏光板８、１０が傷つくことを防止できるようになると共に、収容部１４と可動偏光板１０との摩擦により、当該可動偏光板１０の回動を微調整することができる。【選択図】  図１
2006221133.tif 000002
【特許請求の範囲】
【請求項１】
左右一対の調光部を連結して構成される調光めがねにおいて、
前記調光部は、
重ね合わせた状態で配置される不動偏光板及び可動偏光板と、
これら２枚の偏光板の両面側を覆い、透光性を有する材質で構成される第１及び第２カバーとを備えて構成され、
前記不動偏光板は、前記第１カバー側に固定され、
前記第２カバーは、前記可動偏光板を回動可能に収容支持し、
前記可動偏光板は円形をなし、その外周端部の一部は、前記第１及び第２カバーの上端もしくは下端の少なくとも一方より突出するように配置されていることを特徴とする調光めがね。
【請求項２】
少なくとも前記突出部分にかかる前記可動偏光板の外周部には、複数の回動操作用の切欠きが形成されていることを特徴とする請求項１の調光めがね。
【請求項３】
前記第２カバーと前記可動偏光板との間には、当該可動偏光板の回動を規制する回動規制手段が構成されていることを特徴とする請求項２記載の調光めがね。
【請求項４】
前記回動規制手段は、前記可動偏光板の外周部に当該可動偏光板の回動範囲に応じて形成される円弧状の切欠部と、前記第２カバーより前記切欠部側に突出するように形成される凸部とから構成されていることを特徴とする請求項３記載の調光めがね。
【請求項５】
前記第２カバーは、前記不動偏光板も収容するように構成され、
前記不動偏光板は外周の一部に切欠を有し、前記第２カバーに収容された場合に、前記切欠が前記凸部に嵌合することで固定されることを特徴とする請求項４記載の調光めがね。
【請求項６】
前記回動規制手段は、前記可動偏光板の回動を９０度に規制するように構成されていることを特徴とする請求項３ないし５のいずれかに記載の調光めがね。
【発明の詳細な説明】
【技術分野】
【０００１】
本発明は、一対の偏光板を用いて調光を行うように構成された調光めがねに関する。
【背景技術】
【０００２】
従来の調光めがね（サングラス）としては、特許文献１に、次のような構成が開示されている。即ち、この調光めがねは、２枚の偏光板を有しており、一方の偏光板を固定し、他方の偏光板を回動させることにより、これら２枚の偏光板を透過する光を調光している。偏光板の回動は当該偏光板に一体的に設けられたつまみによって行うようになっている。そして、偏光板の回動の調整（つまり、光の透過率の調整）は、偏光板の外周に形成された複数の凹部に、板バネを押圧することで段階的に行うようになっている。
【特許文献１】特開２０００−１７１７６０号公報（図３及び図４参照）
【発明の開示】
【発明が解決しようとする課題】
【０００３】
しかしながら、上記構成の場合、次のような問題があった。即ち、偏光板の回動を、つまみを用いて行うため、どうしてもつまみが偏光板の外周よりも突出してしまい当該つまみが折損し易くなっていた。また、偏光板の回動の調整も段階的であるため微調整できず、使用者の所望する調光を細かく行うことができなかった。更に、偏光板が外界に対してむき出しになっているため、当該偏光板に傷が付き易いという問題もあった。
【０００４】
本発明は、上記事情に鑑みてなされたもので、偏光板の傷つきを防止でき、且つつまみを用いずに偏光板の回動の微調整を行うことができる調光めがねを提供することを目的とする。
【課題を解決するための手段】
【０００５】
上記目的を達成するために、本発明は、左右一対の調光部を連結して構成される調光めがねにおいて、前記調光部は、重ね合わせた状態で配置される不動偏光板及び可動偏光板と、これら２枚の偏光板の両面側を覆い、透光性を有する材質で構成される第１及び第２カバーとを備えて構成され、前記不動偏光板は、前記第１カバー側に固定され、
前記第２カバーは、前記可動偏光板を回動可能に収容支持し、前記可動偏光板は円形をなし、その外周端部の一部は、前記第１及び第２カバーの上端もしくは下端の少なくとも一方より突出するように配置されていることを特徴とする（請求項１記載の発明）。
この構成によれば、一対の偏光板は、その両側面を第１及び第２カバーに挟まれることにより覆われているため、これら偏光板に傷が付くことを防止できる。更に、可動偏光板の回動は、当該可動偏光板のいずれかの突出部分を用いて行えるため、可動偏光板につまみ等の別部材を設ける必要がなくなる。
【発明の効果】
【０００６】
以上のように、本発明の調光めがねによれば、偏光板の傷つきを防止でき、且つつまみを用いずに偏光板の回動の微調整を行うことができるという優れた効果を奏する。
【発明を実施するための最良の形態】
【０００７】
＜第１の実施例＞
以下、本発明の第１の実施例を図１〜図４を参照して説明する。
図１に示すように、調光めがね１は、棒状をなすめがねフレーム２を有している。このめがねフレーム２は、一端側（図１中、手前側）に回動機構を有しており、他端側は屈曲されてテンプル２ａとして形成されている。めがねフレーム２の回動機構は、左右一対の調光部３Ｒ、３Ｌにおいて、調光部３Ｒの左端側（図１中、左端側）、及び調光部３Ｌの右端側（図１中、右端側）に、例えばボルト４ａ及びナット４ｂ（図２（ｂ）参照）にて取り付けられている。そして、一対の調光部３Ｒ、３Ｌは、鼻当てを供えた連結棒５が、当該調光部３Ｒの右端側及び調光部３Ｌの左端側に、同じくボルト４ａ及びナット４ｂで固定されることで連結されている。これにより、調光めがね１全体は、図１示すように、一体に構成されている。
【０００８】
ここで、調光部３Ｌ及び調光部３Ｒは、互いに同じ構成をなしているため、以下、調光部３Ｌについて説明する。図２（ａ）は、調光部３Ｌの透視正面図、図２（ｂ）は、調光部３Ｌの組立斜視図を示している。図２（ａ）に示すように、全体としては略矩形状をなす調光部３Ｌは、図２（ｂ）に示すように、透光性を有する第１カバー６を備えている。この第１カバー６は略矩形状をなしており、上方両隅には、前述したボルト４ａを挿入するボルト挿入孔７が形成されていると共に、裏面（図２中、奥方の面）には、同一形状をなす不動偏光板８が配設されている。この不動偏光板８も、上方両隅にボルト挿入孔９が形成されており、裏面には可動偏光板１０が配設されている。可動偏光板１０は、全体としては略円形をなすものであり、その外周部の一部には円弧状の切欠部１１が形成されている。この切欠部１１は、可動偏光板１０の回動範囲に応じて形成されるものであり、本実施例では可動偏光板１０の回動範囲が９０度となるように、後述する凸部１６の幅を考慮して、中心角が（９０度＋α）となるように形成されている。
【０００９】
可動偏光板１０の裏面には、透光性を有する第２カバー１２が配設されている。この第２カバー１２は、略矩形状をなしており、上方両隅には、ボルト挿入孔１３が形成されている。また、第２カバー１２の中央には、前述した可動偏光板１０を収容支持するための収容部１４が形成されている。この収容部１４は、可動偏光板１０の形状に沿って第２カバー１２の厚み方向に概ね円形の凹みをなしているため、可動偏光板１０は（第２カバー１２の）収容部１４に支持されながら回動可能になっている。なお、収容部１４に収容支持された可動偏光板１０は、その外周の一部分が、図２（ａ）や図３に示すように、第１及び第２カバー６、１２の下端よりも突出するようになっており、図４に示すように、この突出部分１０ａにかかる可動偏光板１０の外周部には、複数の回動操作用の切欠き１５が形成されている。この切欠き１５は、その断面を示す図３のように、外周を部分的に切欠いた凹みをなしている。
【００１０】
収容部１４の段部をなしている内周面の一部には、前記切欠部１１側に突出する凸部１６が形成されている。この凸部１６には、前記可動偏光板１０が回動することによって、当該可動偏光板１０における切欠部１１の両端の何れかが当接し、これにより可動偏光板１０の回動が９０度に規制される。なお、可動偏光板１０の切欠部１１と、第２カバー１２の凸部１６とによって回動規制手段は構成されている。以上のように第１カバー６、不動偏光板８、可動偏光板１０、第２カバー１２を配列して調光部３Ｌを形成し、前記各ボルト挿入孔７、９、１３及びめがねフレーム２、連結棒５にボルト４ａを挿入し、ナット４ｂにて締めつけることにより、図３に示すように、第１及び第２カバー６、１２が不動偏光板８及び可動偏光板１０を密に挟み込むようになると共に、調光めがね１が一体に構成される。
【００１１】
次に、本実施例における調光めがね１の作用について説明する。
まず、使用者は、調光めがね１のテンプル２ａを耳に引掛けることにより当該調光めがね１を顔に装着する。その後、使用者は光の加減によって、突出部分１０ａを触認しながら可動偏光板１０を指で回動させる。そして、所望の調光を行った時点で可動偏光板１０の回動をやめ、その後は普通の、いわゆるサングラスと同様な使用を行うと共に、光の強さが変化する毎に都度可動偏光板１０を回動させるようにする。
【００１２】
以上のように本実施例の調光めがねによれば、まず重ね合わされた不動偏光板８と可動偏光板１０との両側面を第１及び第２カバー６、１２にて覆うように構成した。このため、何らかの外力によって２枚の偏光板８、１０が傷つくことを防止でき、調光の効力を長期に亘って維持することができる。
【００１３】
また、可動偏光板１０の回動を当該可動偏光板１０の一部である突出部分１０ａにて行うようにした。このため、可動偏光板１０の回動を別部材を用いず、簡単な構成で行うことができると共に、調光めがね１自体の外観を損ねることを防止できる。更に、突出部分１０ａには複数の切欠き１５を形成したので、使用者は、当該突出部分１０ａを認識し易く、そして操作し易くなる。
また、可動偏光板１０は収容部１４に収容されており、従ってその回動は、収容部１４と適度な摩擦を有しながら行われる、このため、前記摩擦によって、可動偏光板１０の回動及び一時停止は、使用者の所望に沿うような微調整が可能となる。
【００１４】
＜第２の実施例＞
次に、本発明の第２の実施例を図５〜図７を参照して説明する。なお、上記第１の実施例と同様な箇所には同符号を付し、その詳細な説明は省略する。
図５に示すように、可動偏光板１０の突出部分１０ａには、切欠き２０が形成されている。この切欠き２０は、図７に示すように、外周を完全に切欠くことで外周縁が凹凸をなすようにしている。不動偏光板２１は、図５に示すように、略円形をなし、外周の一部には切欠２２を有している。可動偏光板１０と不動偏光板２１とは、図６に示すように、互いに重ね合わされた状態で第２カバー２３の収容部２４に収容される。収容部２４は、可動偏光板１０と不動偏光板２１との両方を収容するため、その凹みの深さは、第１実施例の収容部１４よりも深くなるように形成されている。このとき、不動偏光板２１の切欠２２が収容部２４の凸部１６と嵌合することで、当該不動偏光板２１は固定されるように構成されている。
【００１５】
このような構成においても、上記第１の実施例と同様な効果を得ることが可能となると共に、不動偏光板２１の形状を小さくすることができ、当該不動偏光板２１をボルト４ａを介さずに固定することができるようになる。また、切欠き２０を完全に切欠いたので、この切欠き２０に指先が引掛かり易く、操作し易くすることができる。
【００１６】
＜第３の実施例＞
次に、本発明の第３の実施例を図８及び図９を参照して説明する。
図８に示すように、調光めがね３０は、既存のめがね（図示せず）に後付する構成となっている。即ち、この調光めがね３０は、金属製の薄板を折り曲げて、断面視が逆三角フラスコ状に形成された板バネ３１（いわゆる、クリップのような構成）を有している。この板バネ３１は、その形状により、両先端を近接させる方向に付勢力が発生するように構成されている。板バネ３１には、図９にも示すように、その両側端面から一部突出した耳部３１ａを、外方に向かって略カール状に折り曲げることにより形成された一対の第１レバー支持部（側方支持部）３２と、両先端面から一部突出した耳部３１ｂを、同じく外方に向かって略カール状に折り曲げることにより形成された一対の第２レバー支持部（下方支持部）３３とを有している。なお、前記第１レバー支持部３２及び第２レバー支持部３３は、板バネ３１の表裏面に形成されるものである。
【００１７】
板バネ３１の表面（図８中、（ａ）では図面の表面、（ｂ）では左面）において、第１レバー支持部３２及び第２レバー支持部３３には、前レバー３４が組み付けられている。なお、板バネ３１の裏面にも、前記前レバー３４と同様な構成の後レバー３５が組み付けられている。これら互いの構成は同様であるので、以下には前レバー３４の構成についてのみ説明する。
【００１８】
前レバー３４は、金属性の線材を曲げ加工することにより、略Ｕ字の形状に形成されている。この前レバー３４の両側部の途中には、クランク形状をなす一対の段部３６が形成されている。前レバー３４は、その両側面が第１レバー支持部３２に支持され、更に前記段部３６が第２レバー支持部３３に支持されることにより、板バネ３１に対して位置決めされて組み付けられている。これにより、前レバー３４と板バネ３１とは一体となって動作するようになっていると共に、前レバー３４及び後レバー３５は、常に閉方向（図８中、矢印Ａ方向）に付勢されるようになっている。
【００１９】
前レバー３４の板バネ３１への組み付けは、まず前レバー３４の両側部を抑えて収縮させ、この両側部を第１レバー支持部３２の間に配置させる。そして、この状態で段部３６を第２レバー支持部３３に嵌合（いわゆる、位置決めのため）させた後に、両側部の収縮を解放して当該両側部を弾性反発力により第１レバー支持部３２に当接させる。
前レバー３４の両先端、換言すれば既存のめがねのレンズ（図示せず）と当接する箇所には、略球状をなす樹脂３７が取付け（コーティング）られている。なお、前レバー３４の上端側（図８中、上端側）は、つまみ部３８として形成されている。
【００２０】
板バネ３１において、前レバー３４が取付けられる側の内面３１ｃ（図８（ｂ）中、右方側）、には、断面視で下方側に凹部３９ａ（図９参照）を有し、全体としては略矩形箱状をなすレンズホルダ支持部材３９が配設されている。このレンズホルダ支持部材３９は、その上端側が板バネ３１に対しネジ４０にて固定されており、前記凹部が形成されている下方側は自由端となっている。このように、レンズホルダ支持部材３９の上端側をネジ４０にて固定することにより、前記凹部３９ａ側（自由端）は前記板バネ３１の内面３１ｃ方向に常時付勢力が付与される構成となっており、更に凹部３９ａと前記内面３１ｃとで空間Ｚ（図８参照）が区画されるようになっている。
【００２１】
前記空間Ｚには、金属製の線材を折り曲げることにより略コ字状に形成されたレンズホルダ４１が挿通され、支持されるようになっている。このレンズホルダ４１において、レンズホルダ支持部材３９に支持される支持部４１ａの断面は、図９に示すように、一部に偏平部を有する概略楕円形に形成されている。
支持部４１ａの両側面には、２本の腕部４１ｂ、４１ｂが前方側（図８（ｂ）中、左側）に延びるように形成されている。そして、それら腕部４１ｂ、４１ｂの先端からは、レンズ支持部４１ｃ、４１ｃが、左右方向（図９（ａ）中、左右方向）に延びるように形成されている。レンズ支持部４１ｃ、４１ｃには、調光部に相当する調光レンズ（詳細は後述する）４２の上端部がボルト４２ａ及びナット４２ｂ（図９参照、図８では説明の便宜上、省略している）によって取り付けられている。
【００２２】
調光レンズ４２は、互いに同じ構成をなしているため、以下においては、左側（図８、及び図９中、左側）の調光レンズ４２についてのみ説明する。図８（ａ）に示すように、全体としては略矩形状をなす調光レンズ４２は、図９に示すような、透光性を有する第１カバー４３を備えている。この第１カバー４３は略矩形状をなしており、上方両隅には、前述したボルト４２ａを挿入するボルト挿入孔４４が形成されていると共に、裏面（図９中、後方の面）には、同一形状をなす不動偏光板４５が配設されている。
この不動偏光板４５においても、上方両隅にボルト挿入孔４６が形成されており、その裏面には可動偏光板４７が配設されている。可動偏光板２８は、上記第２の実施例とは異なり、全体としては円形をなしている。そして、その外周部には、円弧状の切欠き４７ａが形成されると共に、その一部は、前記第１カバー４３及び不動偏光板４５の下面よりも突出するように構成されている。なお、前記切欠き４７ａは、可動偏光板４７の回動範囲に応じて形成されるものであるが、本実施例では全周に亘って形成するようにしている。
【００２３】
可動偏光板４７の裏面には、透光性を有する第２カバー４８が配設されている。この第２カバー４８は、略矩形状をなしており、上方両隅には、ボルト挿入孔４９が形成されている。また、第２カバー４８の中央には、前述した可動偏光板４７を収容支持するための収容部５０が形成されている。この収容部５０は、上記第２の実施例のような凸部１６は有さず、単に可動偏光板４７の形状に沿って第２カバー４８の厚み方向に概ね円形の凹みをなしているため、可動偏光板４７は（第２カバー４８の）収容部５０に支持されながら自由に回動可能になっている。
【００２４】
以上のように第１カバー４３、不動偏光板４５、可動偏光板４７、第２カバー４８を配列して調光レンズ４２を形成し、前記各ボルト挿入孔４４、４６、４９及びレンズホルダ４１（レンズ支持部４１ｃ、４１ｃ）にボルト４２ａを挿入し、ナット４２ｂにて締めつけることにより、全部材が一体的に構成される。なお、このような構成の調光レンズ４２を支持するレンズホルダ４１は、支持部４１ａによって、上方に跳ね上げられる上方位置（図８（ｂ）中、二点鎖線）と、下方に下げられる下方位置（図８（ｂ）中、実線）とを節度的に回動可能（支持部４１ａは、偏平部を有する概略楕円となっているため）になっている。
【００２５】
次に、上記のように構成された調光めがね３０を、既存のメガネ（図示せず）に（後付け）装着する方法を説明する。
使用者は、まず前レバー３４及び後レバー３５の両つまみ部３８、３８をつまみ、この状態で、両レバー３４、３５を支持する板バネ３１の弾性反発力に抗しながら当該両つまみ部３８、３８が互いに近接する方向（図８中、Ｂ方向）へ力を加えていく。すると、両レバー３４、３５の両先端が徐々に離間する方向へと移動するのに伴って、板バネ３１の両先端も徐々に離間する方向へと広がっていく。使用者は、この状態で調光めがね３０を既存のメガネの上方で、且つ両レバー３４、３５が、前記既存のメガネのレンズ（図示せず）を挟むような位置に移動させる。それから、調光めがね３０をゆっくり既存のメガネに被せ、両レバー３４、３５の樹脂３７、３７が既存のメガネのレンズに対して高さ方向に一致する位置まで下降させる。そして、今度は両つまみ部３８、３８に加えていた力を徐々に緩める。
【００２６】
すると、板バネ３１の弾性復元力によって、両レバー３４、３５の先端の樹脂３７、３７が、レンズの表裏面を徐々に挟みこむようになり、これにより調光めがね３０は、既存のメガネに対して装着される。そして、使用者は、この状態で既存のメガネを通常通りかけて使用する。ここで、平時の場合、つまり使用者が眩しさを感じないときには、当該使用者は調光レンズ４２の端面を摘まんで当該調光レンズ４２を上方に跳ね上げた状態で使用する。一方、使用者が眩しいと感じた場合、前記使用者は、調光レンズ４２の端面を摘まんで当該調光レンズ４２を下方に下げて使用する。このような動作により、使用者は、視界の明るさを所望の光の強さに調整する。更に、光の加減によって、使用者が調光レンズ４２における光の透過率を調整したいという状態になったら、前記使用者は、切欠き４７ａを触認しながら可動偏光板４７を指にて回動させ、２枚の偏光板４５、４７が重なる角度に応じて所望の調光を行った時点で可動偏光板４７の回動をやめるといった動作を、光の強さが変化する毎に行うようにする。
【００２７】
以上のような第３の実施例によれば、上記第１及び第２の実施例と同様な効果を得られると共に、既存のめがねに後付けできる構成としたので、使用者の好みによって、調光めがねの使用を選択できるようになる。
【００２８】
また、既存のめがねへの装着を、前レバー３４及び後レバー３５（いわゆる、クリップのような構成）によって前記既存のレンズを表裏面から挟み込むように構成したので、既存のメガネの形状や材質を問うことなく、簡単に、且つ確実に装着することができる。また、両レバー３４、３５は板バネ３１にて常に閉方向（レンズを挟む方向）に付勢される構成であるので、既存のめがねへの調光めがね３０の装着力を向上させることができる。
また、前レバー３４及び後レバー３５の付勢力を当該両レバー３４、３５を組み付ける板バネ３１によって得るようにした。このため、軸心を有するコイルバネのような複雑で、且つ機構が複雑なものを使用しなくてもよいので、構成を簡素化することができると共に、メンテナンスも容易にすることができる。
なお、本発明は、上記し且つ図面に記載した実施例にのみ限定されるものではなく、以下のような変形或いは拡張が可能である。
即ち、上記第１及び第２の実施例においては、調光部３をめがねフレーム２及び連結棒５にて固形に支持するようにしたが、これに限定されるものではなく、連結棒を一体的に有するめがねフレームを用いて調光部３を支持してもよい。
【００２９】
また、調光部３を支持する部材はボルト４ａ、ナット４ｂの代わりにビスやビレット等、調光部３とめがねフレーム２（連結棒５）とを確実に固定できるならば、特に限定するものではない。
また、回動規制手段においては、可動偏光板１０の切欠部１１と、第２カバー１２の凸部１６との関係は逆に構成してもよい。更には、第１カバー６側を前面としたが、これに限定されるものではく、第２カバー側を前面として調光めがねを構成してもよい。
また、第１及び第２カバー６、１２のいずれかの一方には、視力を矯正するための度をいれて構成してもよい。
また、可動偏光板１０の突出部分１０ａは、第１及び第２カバー６、１２の下端に限らず、上端であったり、或いは上下端の両方であったりしてもよい。この場合、各突出部分に複数の切欠き１５、２０を形成すればよい。
【００３０】
また、第３の実施例において、支持部４１ａの偏平度合いは、特に限定するものではなく、例えば複数の節度を持つような偏平度合いを付与するようにしてもよい。
また、板バネ３１に代えてコイルバネを使用する構成で弾性復元力を得るようにしてもよい。
また、上記第１〜第３の実施例において、例えば第１の実施例の調光部３Ｌ、３Ｒを、第３の実施例の調光レンズ４２に適用するといったように、各実施例を組合わせて調光めがねを構成してもよい。
【図面の簡単な説明】
【００３１】
【図１】本発明の第１の実施例を示すもので、調光めがねの全体斜視図
【図２】（ａ）は調光部の透視正面図、（ｂ）は組立斜視図
【図３】図２（ａ）のＡ−Ａ線に沿う断面図
【図４】突出部分の拡大図
【図５】本発明の第２の実施例を示すもので、図２相当図
【図６】図５のＢ−Ｂ線に沿う断面図
【図７】図４相当図
【図８】本発明の第３の実施例を示すもので、（ａ）は調光めがねの透視正面図、（ｂ）は同側面図
【図９】図２（ｂ）相当図
【符号の説明】
【００３２】
図面中、１は調光めがね、２はめがねフレーム、３Ｒ及び３Ｌは調光部、６は第１カバー、８は不動偏光板、１０は可動偏光板、１０ａは突出部分、１１は切欠部（回動規制手段）、１２は第２カバー、１５は切欠き、１６は凸部（回動規制手段）、２０は切欠き、２１は不動偏光板、２３は第２カバー、３０は調光めがね、４２は調光レンズ（調光部）、４３は第１カバー、４５は不動偏光板、４７は可動偏光板、４８は第２カバー、４７ａは切欠きである。
【図１】
2006221133.tif 000003
【図２】
2006221133.tif 000004
【図３】
2006221133.tif 000005
【図４】
2006221133.tif 000006
【図５】
2006221133.tif 000007
【図６】
2006221133.tif 000008
【図７】
2006221133.tif 000009
【図８】
2006221133.tif 000010
【図９】
2006221133.tif 000011